(57)【要約】【課題】  手軽に利用できる安価な階段昇降具セットを提供する。【解決手段】  昇降具本体１０と、一対の係止具２０とを備える階段昇降具セットであって、昇降具本体１０は、コ字状に屈曲する棒状体の互いに平行な両側部に、先端が同方向に起立するように円弧状の湾曲部が設けられた支持部材１１と、前記湾曲部の基端側および先端側において前記両側部にそれぞれ支持された座板１３および背もたれ板１４と、利用者Ｕが座板１３に座った状態を保持するベルト１７とを備え、係止具２０は、下部が階段の踏面Ｔに当接する筐体状の係止具本体２１と、係止具本体２１の上部に設けられた把持部２２と、係止具本体２１から下方に突出して踏面Ｔの先端側と係合する係合部２３とを備える。【選択図】  図４
2020074948.tif 000002
【特許請求の範囲】
【請求項１】
利用者の臀部を支持する昇降具本体と、利用者が両手でそれぞれ把持可能な一対の係止具とを備える階段昇降具セットであって、
前記昇降具本体は、コ字状に屈曲する棒状体の互いに平行な両側部に、先端が同方向に起立するように円弧状の湾曲部が設けられた支持部材と、
前記湾曲部の基端側および先端側において前記両側部にそれぞれ支持された座板および背もたれ板と、
利用者が前記座板に座った状態を保持するベルトとを備え、
前記係止具は、下部が階段の踏面に当接する筐体状の係止具本体と、前記係止具本体の上部に設けられた把持部と、前記係止具本体から下方に突出して踏面の先端側と係合する係合部とを備える階段昇降具セット。
【発明の詳細な説明】
【技術分野】
【０００１】
本発明は、階段昇降具セットに関し、より詳しくは、利用者が自力で階段を昇降するのを補助する階段昇降具セットに関する。
【背景技術】
【０００２】
利用者が自身の操作によって階段を昇降可能にする装置として、特許文献１には、乗載部と、乗載部を昇降駆動する昇降駆動手段とを備える階段昇降装置が開示されている。この階段昇降装置は、上昇用レバーを前後に揺動させることにより搬送体が回転して階段に沿って上昇する一方、切替レバーの操作後に下降用ハンドルを回転させることで、搬送体が逆方向に回転して階段に沿って下降するように構成されている。
【先行技術文献】
【特許文献】
【０００３】
【特許文献１】特開２０１８−７９２９７号公報
【発明の概要】
【発明が解決しようとする課題】
【０００４】
上記従来の階段昇降装置は、上昇用レバーまたは下降用ハンドルの操作による動力を搬送体に伝達するための機構が煩雑になり易いため、より簡便に利用できることが求められていた。
【０００５】
そこで、本発明は、手軽に利用できる安価な階段昇降具セットの提供を目的とする。
【課題を解決するための手段】
【０００６】
本発明の前記目的は、利用者の臀部を支持する昇降具本体と、利用者が両手でそれぞれ把持可能な一対の係止具とを備える階段昇降具セットであって、前記昇降具本体は、コ字状に屈曲する棒状体の互いに平行な両側部に、先端が同方向に起立するように円弧状の湾曲部が設けられた支持部材と、前記湾曲部の基端側および先端側において前記両側部にそれぞれ支持された座板および背もたれ板と、利用者が前記座板に座った状態を保持するベルトとを備え、前記係止具は、下部が階段の踏面に当接する筐体状の係止具本体と、前記係止具本体の上部に設けられた把持部と、前記係止具本体から下方に突出して踏面の先端側と係合する係合部とを備える階段昇降具セットにより達成される。
【発明の効果】
【０００７】
本発明によれば、手軽に利用できる安価な階段昇降具セットを提供することができる。
【図面の簡単な説明】
【０００８】
【図１】本発明の一実施形態に係る階段昇降具セットが備える昇降具本体の正面図である。
【図２】図１に示す昇降具本体の側面図である。
【図３】本発明の一実施形態に係る階段昇降具セットが備える係止具の（ａ）側面図および（ｂ）背面図である。
【図４】本発明の一実施形態に係る階段昇降具セットの使用方法を説明するための図である。
【図５】本発明の一実施形態に係る階段昇降具セットの使用方法を説明するための図である。
【発明を実施するための形態】
【０００９】
以下、本発明の実施の形態について、添付図面を参照して説明する。本実施形態の階段昇降具セットは、利用者の臀部を支持する昇降具本体と、利用者が両手でそれぞれ把持可能な一対の係止具とを備えている。図１および図２は、それぞれ本発明の一実施形態に係る昇降具本体の正面図および側面図であり、図３（ａ）および図３（ｂ）は、それぞれ本発明の一実施形態に係る係止具の側面図および背面図である。
【００１０】
図１および図２に示すように、昇降具本体１０は、支持部材１１、座板１３、背もたれ板１４およびベルト１７を、主な構成要素として備えている。支持部材１１は、金属パイプ等の棒状体をコ字状に屈曲させた形状を有しており、互いに平行に延びる両側部１１１ａ，１１１ｂの中央付近に湾曲部１１２ａ，１１２ｂが形成されている。湾曲部１１２ａ，１１２ｂは、両側部１１１ａ，１１１ｂの先端側が、斜め上方に向けて同方向に起立するように円弧状に湾曲している。両側部１１１ａ，１１１ｂの先端同士は、連結棒１２により連結されている。
【００１１】
座板１３および背もたれ板１４は、平板状に形成されており、両側部１１１ａ，１１１ｂにおける湾曲部１１２ａ，１１２ｂの基端側および先端側にそれぞれ固定されて、連結板１５，１６により互いに連結されている。座板１３および背もたれ板１４は、支持部材１１が湾曲部１１２ａ，１１２ｂを備えることによって、互いに鈍角をなすように配置されている。座板１３と背もたれ板１４とがなす角度θは、小さすぎると昇降具本体１０を階段に沿って昇降させることが困難になり易い一方、大きすぎると利用者が昇降するための動作が困難になり易いことから、１１０〜１２０度の範囲に設定することが好ましく、本実施形態では１１５度としている。
【００１２】
ベルト１７は、両端に差し込み式のバックル１７ａ，１７ｂを備え、両側部１１１ａ，１１１ｂと連結板１５，１６との間に挿通されており、利用者がバックル１７ａ，１７ｂを装着することで、座板１３に座った状態を保持することができる。
【００１３】
図３（ａ）および（ｂ）に示すように、係止具２０は、下面側に矩形状の開口部２１ａを有する筐体状の係止具本体２１と、係止具本体２１の上面に設けられた把持部２２と、係止具本体２１から下方に突出する係合部２３とを備えている。係止具本体２１は、複数の矩形板から構成されており、側壁を構成する４つの矩形板の１つを他の３つよりも長く形成することで、係合部２３が形成されている。係合部２３は、開口部２１ａの周縁部を階段の踏面に当接させた状態で、踏面の先端側（段鼻または蹴込）に係合し、これによって係止具２０が踏面Ｔに係止される。
【００１４】
次に、上記の構成を備える階段昇降具セットを利用した階段の昇降方法を説明する。階段を昇る際には、図４に示すように、階段の踏面Ｔに支持部材１１を載置し、利用者Ｕが座板１３に座りベルト３０を装着した後、一対の係止具２０（図では一方のみを示す）の把持部２２を、利用者Ｕが両手でそれぞれ把持する。ついで、一段下の踏面Ｔに足を載せて、一段上の踏面Ｔに一対の係止具２０を係止させた状態から、利用者Ｕが腕と脚の力を利用して、体を斜め後方に持ち上げると、支持部材１１の両側部が踏面Ｔの先端部を摺動し、図５に示すように、支持部材１１が一段上の踏面Ｔに移動する。このように、脚部以外の力も効率良く利用することで利用者Ｕの脚の負担が軽減されるため、上記の動作を繰り返すことにより、階段を容易に昇ることができる。
【００１５】
階段を降りる際には、図５に示す状態から腕の力で体を支持して斜め前方に降下させることで、支持部材１１の両側部が踏面Ｔの先端部を摺動し、図４に示すように、支持部材１１が一段下の踏面Ｔに移動する。この動作を繰り返すことにより、利用者Ｕは容易且つ安全に階段を降りることができる。
【００１６】
本実施形態の階段昇降具セットは、軽量且つコンパクトな構成であるため、安価に製造可能であると共に、不使用時には運搬や保管が容易である。
【符号の説明】
【００１７】
１０  昇降具本体
１１  支持部材
１１１ａ，１１１ｂ  両側部
１１２ａ，１１２ｂ  湾曲部
１３  座板
１４  背もたれ板
１７  ベルト
２０  係止具
２１  係止具本体
２２  把持部
２３  係合部
【図１】
2020074948.tif 000003
【図２】
2020074948.tif 000004
【図３】
2020074948.tif 000005
【図４】
2020074948.tif 000006
【図５】
2020074948.tif 000007